(57)【要約】【課題】干渉成分による信号品質の劣化を低減し、良好な通信を行うこと。【解決手段】無線リソース制御部１３０は、スケジューリングを行う際に、各スロットでスケジューリングの対象となる移動局装置をテーブル１４２から読み出し、所定のアルゴリズムに従ってスケジューリングを行う。テーブル１４２は、仮想フレーム内の各スロットごとに、データ送信を許可する移動局装置を保持している。通信品質比較部１４４は、無線リソース制御部１３０から通知された移動局装置ごとの通信品質と所定の通信品質とを比較し、テーブル１４２における各スロットとデータ送信を許可する移動局装置との対応を変更するか否かを判定する。【選択図】　　　図２
2004032202.tif 000002
【特許請求の範囲】
【請求項１】
近隣セルにおける通信状況に応じて通信相手局ごとにデータ送信を許可するタイミングを設定する設定手段と、
設定されたタイミングのうち同一タイミングにおいてデータ送信が許可されている通信相手局から当該タイミングで実際にデータを送信させる通信相手局を決定する決定手段と、
決定された通信相手局に対して送信許可信号を送信する送信手段と、
を有することを特徴とする無線送信装置。
【請求項２】
前記設定手段は、
所定数のスロットからなる仮想フレームにおいて、通信相手局ごとにデータ送信を許可するスロットを保持するテーブルと、
通信相手局と自局との通信品質および所定の通信品質を比較する通信品質比較部と、を有し、
前記テーブルは、
前記通信品質比較部の比較結果として、通信相手局と自局との通信品質が所定の通信品質以外である場合は、当該通信相手局のデータ送信を許可するスロットを変更することを特徴とする請求項１記載の無線送信装置。
【請求項３】
前記テーブルは、
前記通信品質比較部の比較結果として、通信相手局と自局との通信品質が所定の通信品質より良好である場合は、当該通信相手局のデータ送信を許可するスロットを仮想フレーム内の先頭方向に１スロット分変更することを特徴とする請求項２記載の無線送信装置。
【請求項４】
前記テーブルは、
前記通信品質比較部の比較結果として、通信相手局と自局との通信品質が所定の通信品質より劣悪である場合は、当該通信相手局のデータ送信を許可するスロットを仮想フレーム内の最終方向に１スロット分変更することを特徴とする請求項２記載の無線送信装置。
【請求項５】
前記設定手段は、
自局からの距離に応じて自セルを分割したエリアに対応するスロットからなる仮想フレームにおいて、通信相手局ごとにデータ送信を許可するスロットを保持するテーブルと、
通信相手局と自局との距離を測定する距離測定部と、
測定された距離と、仮想フレーム内の各スロットについて自セルにおいてデータ送信が許可されているか否かを示すスロット情報とに基づいて通信相手局ごとにデータ送信が許可されるスロットを判定する許可スロット判定部と、を有し、
前記テーブルは、
前記許可スロット判定部の判定結果によって更新されることを特徴とする請求項１記載の無線送信装置。
【請求項６】
前記スロット情報は、
自局から近いエリアに対応するスロットほど頻繁にデータ送信が許可されることを示すことを特徴とする請求項５記載の無線送信装置。
【請求項７】
前記スロット情報は、
自局から遠いエリアに対応するスロットであって近隣セルの同一スロットでデータ送信が許可されていないスロットについては自セルにおいてデータ送信が許可されることを示すことを特徴とする請求項５記載の無線送信装置。
【請求項８】
前記設定手段は、
近隣セルにおける通信状況に応じて上り回線におけるデータ送信を許可するタイミングを設定することを特徴とする請求項１記載の無線送信装置。
【請求項９】
請求項１から請求項８のいずれかに記載の無線送信装置を有することを特徴とする基地局装置。
【請求項１０】
近隣セルにおける通信状況に応じて通信相手局ごとにデータ送信を許可するタイミングを設定するステップと、
設定したタイミングのうち同一タイミングにおいてデータ送信が許可されている通信相手局から当該タイミングで実際にデータを送信させる通信相手局を決定するステップと、
決定した通信相手局に対して送信許可信号を送信するステップと、
を有することを特徴とするスケジューリング方法。
【発明の詳細な説明】
【０００１】
【発明の属する技術分野】
本発明は、無線送信装置およびスケジューリング方法に関する。
【０００２】
【従来の技術】
従来、例えば特開平１１−２３９１５２号公報に開示されているように、上り回線におけるスケジューリング方法が検討されている。この方法は、上りランダムアクセス方式において、スケジューリングの結果データチャネルに空き時間が生じる場合は、その空き時間に再度アクセスを行い、上り回線の伝送効率を向上させるものである。
【０００３】
【発明が解決しようとする課題】
しかしながら、上述のような上り回線におけるスケジューリング方法においては、例えば隣接セルのセルエッジに位置する移動局装置の中に同一タイミングで信号を送信するものがある場合は、その移動局装置からの信号が干渉信号となって、基地局装置における受信信号の品質が劣化し、良好な通信を行うことができないという問題がある。
【０００４】
以下、図８を用いてこの問題の具体例について説明する。
【０００５】
図８において、基地局装置１０は、移動局装置３０を含む自セル内の移動局装置に関して信号の送信順序を決定し、各移動局装置に対して信号の送信を許可する旨の送信許可信号を送信することにより、上り回線におけるスケジューリングを行う。同様に、基地局装置２０は、移動局装置４０を含む自セル内の移動局装置のスケジューリングを行う。
【０００６】
このとき、基地局装置１０および基地局装置２０によるスケジューリングの結果、移動局装置３０および移動局装置４０が同一タイミングで信号を送信することになった場合、移動局装置３０が２つのセルの境界付近に位置するため、移動局装置３０から送信された信号は、基地局装置２０の受信信号において大きな割合を占めることになる。換言すれば、基地局装置２０の受信信号において、所望成分である移動局装置４０の送信信号に対して、干渉成分である移動局装置３０の送信信号が大きな割合を占めることになり、基地局装置２０における受信信号の品質が劣化する。
【０００７】
本発明は、かかる点に鑑みてなされたものであり、干渉成分による信号品質の劣化を低減し、良好な通信を行うことができる無線送信装置およびスケジューリング方法を提供することを目的とする。
【０００８】
【課題を解決するための手段】
本発明の無線送信装置は、近隣セルにおける通信状況に応じて通信相手局ごとにデータ送信を許可するタイミングを設定する設定手段と、設定されたタイミングのうち同一タイミングにおいてデータ送信が許可されている通信相手局から当該タイミングで実際にデータを送信させる通信相手局を決定する決定手段と、決定された通信相手局に対して送信許可信号を送信する送信手段と、を有する構成を採る。
【０００９】
この構成によれば、近隣セルにおける通信状況に応じて通信相手局ごとにデータ送信を許可するタイミングを設定し、同一タイミングにおいてデータ送信が許可されている通信相手局から実際にデータを送信させる通信相手局を決定し、当該通信相手局に対して送信許可信号を送信するため、通信相手局は、近隣セルからの干渉成分が大きいタイミングでは信号を送信せず、干渉成分による信号品質の劣化を低減し、良好な通信を行うことができる。
【００１０】
本発明の無線送信装置は、前記設定手段は、所定数のスロットからなる仮想フレームにおいて、通信相手局ごとにデータ送信を許可するスロットを保持するテーブルと、通信相手局と自局との通信品質および所定の通信品質を比較する通信品質比較部と、を有し、前記テーブルは、前記通信品質比較部の比較結果として、通信相手局と自局との通信品質が所定の通信品質以外である場合は、当該通信相手局のデータ送信を許可するスロットを変更する構成を採る。
【００１１】
この構成によれば、通信相手局と自局との通信品質および所定の通信品質を比較し、通信相手局と自局との通信品質が所定の通信品質以外である場合は、当該通信相手局のデータ送信を許可するスロットを変更するため、近隣セルからの干渉成分によって変化する通信品質に応じて通信相手局からのデータ送信タイミングを変更することができ、干渉成分による信号品質の劣化を低減し、良好な通信を行うことができる。
【００１２】
本発明の無線送信装置は、前記テーブルは、前記通信品質比較部の比較結果として、通信相手局と自局との通信品質が所定の通信品質より良好である場合は、当該通信相手局のデータ送信を許可するスロットを仮想フレーム内の先頭方向に１スロット分変更する構成を採る。
【００１３】
この構成によれば、通信相手局と自局との通信品質が所定の通信品質より良好である場合は、当該通信相手局のデータ送信を許可するスロットを仮想フレーム内の先頭方向に１スロット分変更するため、近隣セルにおいても同様の制御をすることにより、各セルにおいて互いに干渉となりにくい通信相手局は、仮想フレームの先頭方向のスロットで同時にデータ送信をすることになり、システム全体の伝送効率を向上することができる。
【００１４】
本発明の無線送信装置は、前記テーブルは、前記通信品質比較部の比較結果として、通信相手局と自局との通信品質が所定の通信品質より劣悪である場合は、当該通信相手局のデータ送信を許可するスロットを仮想フレーム内の最終方向に１スロット分変更する構成を採る。
【００１５】
この構成によれば、通信相手局と自局との通信品質が所定の通信品質より劣悪である場合は、当該通信相手局のデータ送信を許可するスロットを仮想フレーム内の最終方向に１スロット分変更するため、通信相手局は、近隣セルからの干渉成分が大きい場合は、データ送信のタイミングをずらすことができ、干渉成分による信号品質の劣化を低減し、良好な通信を行うことができる。
【００１６】
本発明の無線送信装置は、前記設定手段は、自局からの距離に応じて自セルを分割したエリアに対応するスロットからなる仮想フレームにおいて、通信相手局ごとにデータ送信を許可するスロットを保持するテーブルと、通信相手局と自局との距離を測定する距離測定部と、測定された距離と、仮想フレーム内の各スロットについて自セルにおいてデータ送信が許可されているか否かを示すスロット情報とに基づいて通信相手局ごとにデータ送信が許可されるスロットを判定する許可スロット判定部と、を有し、前記テーブルは、前記許可スロット判定部の判定結果によって更新される構成を採る。
【００１７】
この構成によれば、通信相手局と自局との距離を測定し、測定された距離と、仮想フレーム内の各スロットについて自セルにおいてデータ送信が許可されているか否かを示すスロット情報とに基づいて通信相手局ごとにデータ送信が許可されるスロットを判定するため、近隣セルに対して干渉を与えやすい通信相手局、換言すれば、自セルのセルエッジに位置する通信相手局のデータ送信のタイミングを各セルごとに変えることができ、干渉成分による信号品質の劣化を低減し、良好な通信を行うことができる。
【００１８】
本発明の無線送信装置は、前記スロット情報は、自局から近いエリアに対応するスロットほど頻繁にデータ送信が許可されることを示す構成を採る。
【００１９】
この構成によれば、スロット情報が、自局から近いエリアに対応するスロットほど頻繁にデータ送信が許可されることを示すため、自局から近いエリアに位置する通信相手局、換言すれば、近隣セルに対して干渉を与えにくい通信相手局は、頻繁にデータ送信することができ、伝送効率の極度な低下を防止することができる。
【００２０】
本発明の無線送信装置は、前記スロット情報は、自局から遠いエリアに対応するスロットであって近隣セルの同一スロットでデータ送信が許可されていないスロットについては自セルにおいてデータ送信が許可されることを示す構成を採る。
【００２１】
この構成によれば、スロット情報が、自局から遠いエリアに対応するスロットであって近隣セルの同一スロットでデータ送信が許可されていないスロットについては自セルにおいてデータ送信が許可されることを示すため、自局から遠いエリアに位置する通信相手局、換言すれば、近隣セルに対して干渉を与えやすい通信相手局のデータ送信タイミングを各セルごとに変えることができ、干渉成分による信号品質の劣化を低減し、良好な通信を行うことができる。
【００２２】
本発明の無線送信装置は、前記設定手段は、近隣セルにおける通信状況に応じて上り回線におけるデータ送信を許可するタイミングを設定する構成を採る。
【００２３】
この構成によれば、近隣セルにおける通信状況に応じて上り回線におけるデータ送信を許可するタイミングを設定するため、移動局装置から基地局装置へ向かう上り回線の信号について、干渉成分による信号品質の劣化を低減し、良好な通信を行うことができる。
【００２４】
本発明の基地局装置は、上記のいずれかに記載の無線送信装置を有する構成を採る。
【００２５】
この構成によれば、上記のいずれかに記載の無線送信装置と同様の作用効果を基地局装置において実現することができる。
【００２６】
本発明のスケジューリング方法は、近隣セルにおける通信状況に応じて通信相手局ごとにデータ送信を許可するタイミングを設定するステップと、設定したタイミングのうち同一タイミングにおいてデータ送信が許可されている通信相手局から当該タイミングで実際にデータを送信させる通信相手局を決定するステップと、決定した通信相手局に対して送信許可信号を送信するステップと、を有するようにした。
【００２７】
この方法によれば、近隣セルにおける通信状況に応じて通信相手局ごとにデータ送信を許可するタイミングを設定し、同一タイミングにおいてデータ送信が許可されている通信相手局から実際にデータを送信させる通信相手局を決定し、当該通信相手局に対して送信許可信号を送信するため、通信相手局は、近隣セルからの干渉成分が大きいタイミングでは信号を送信せず、干渉成分による信号品質の劣化を低減し、良好な通信を行うことができる。
【００２８】
【発明の実施の形態】
本発明の骨子は、近隣セルの基地局装置に対して大きな干渉成分を与える位置にある移動局装置が、それぞれのセルにおいて同時に信号を送信することがないようにすることである。
【００２９】
以下、本発明の実施の形態について、図面を参照して詳細に説明する。
【００３０】
（実施の形態１）
図１は、本発明の実施の形態１に係るセル構成の一例を示す図である。同図において、基地局装置１００、基地局装置２００、および基地局装置３００のセルはそれぞれ互いに近接している。なお、基地局装置１００、基地局装置２００、および基地局装置３００は、図示しない制御局装置によって制御されている。この制御局装置は、各移動局装置宛てのデータをそれぞれの通信相手となっている基地局装置へ送出し、各移動局装置から通信相手の基地局装置へ向かう上り回線のデータ送信のために所定数のスロットから構成される伝送単位（本実施の形態においては、これを「仮想フレーム」という）の長さ（すなわち、スロット数）を基地局装置へ通知する。また、これにより、基地局装置１００、基地局装置２００、および基地局装置３００は、基地局装置間同期がとられる。
【００３１】
図２は、実施の形態１に係る基地局装置１００の構成を示すブロック図である。同図に示す基地局装置１００は、無線送受信部１１０、再送制御部１２０、無線リソース制御部１３０、およびテーブル１４２と通信品質比較部１４４からなる送信許可スロット設定部１４０を有している。なお、基地局装置２００および基地局装置３００も同様の構成を有するものとする。
【００３２】
無線送受信部１１０は、アンテナを介してデータの送受信を行い、所定の無線処理（符号化、復号化、変復調など）を行う。再送制御部１２０は、制御局装置から送出された各移動局装置宛てのデータを一時的に格納し、再送制御を行う。無線リソース制御部１３０は、無線送受信部１１０および再送制御部１２０を制御するとともに、スケジューリングを行う。具体的には、無線リソース制御部１３０は、各移動局装置ごとのデータについて、例えばスループット、ブロックエラー率、最低伝送レート、またはＭＣＳ（Ｍｏｄｕｌａｔｉｏｎ　Ｃｏｄｉｎｇ　Ｓｃｈｅｍｅｓ）などの通信品質をそれぞれ測定し、測定された通信品質を所定の周期ごとに通信品質比較部１４４へ通知する。また、無線リソース制御部１３０は、スケジューリングを行う際に、各スロットでスケジューリングの対象となる（すなわち、データ送信を許可する）移動局装置をテーブル１４２から読み出し、所定のアルゴリズムに従ってスケジューリングを行う。さらに、無線リソース制御部１３０は、それぞれのスロットにおいて実際にデータを送信する移動局装置に対して、再送制御部１２０および無線送受信部１１０を介して送信許可信号を送信する。
【００３３】
送信許可スロット設定部１４０は、テーブル１４２および通信品質比較部１４４から構成されており、制御局装置から通知された仮想フレーム長と無線リソース制御部１３０によって測定された通信品質とに基づいて、仮想フレーム内の各スロットごとに、どの移動局装置のデータ送信を許可するかを設定する。テーブル１４２は、仮想フレーム内の各スロットごとに、データ送信を許可する移動局装置を保持している。通信品質比較部１４４は、無線リソース制御部１３０から通知された移動局装置ごとの通信品質と所定の通信品質とを比較し、テーブル１４２における各スロットとデータ送信を許可する移動局装置との対応を変更するか否かを判定する。
【００３４】
次いで、上記のように構成された基地局装置１００における送信許可スロットの設定動作について、図３に示すフロー図を参照しながら説明する。
【００３５】
まず、初期状態では、基地局装置１００が通信を行うすべての移動局装置は、仮想フレームの先頭スロットでデータを送信することが許可されているため（ＳＴ１０００）、無線リソース制御部１３０は、所定のアルゴリズムに従ってスケジューリングを行って、通信相手となっているすべての移動局装置の中から先頭スロットでデータを送信する移動局装置を決定し、当該移動局装置に対して先頭スロットでデータの送信を許可する旨の送信許可信号を送信する。送信許可信号を受信した移動局装置は、データ送信を許可されたスロット（初回は先頭スロット）でデータを送信する（ＳＴ１１００）。そして、無線送受信部１１０によってデータが受信されると、無線リソース制御部１３０によってデータの通信品質が測定される（ＳＴ１２００）。
【００３６】
ここで、無線リソース制御部１３０によって、テーブル１４２を更新するための所定の周期が経過しているか否かが判定され（ＳＴ１３００）、所定の周期が経過していない場合は、引き続き無線リソース制御部１３０によってスケジューリングが行われ、データ伝送が行われる。一方、所定の周期が経過している場合は、無線リソース制御部１３０によって測定された通信品質が通信品質比較部１４４に通知され、この通信品質が所定範囲内の通信品質であるか否かが通信品質比較部１４４によって判定される。この判定は、まず測定された通信品質が所定範囲の通信品質以上であるか否かが判定され（ＳＴ１４００）、測定された通信品質が所定範囲の通信品質以上でない場合は、所定範囲の通信品質以下であるか否かが判定される（ＳＴ１７００）。ここで、「測定された通信品質が所定範囲の通信品質以上である」とは、受信データの通信品質が過剰品質になっていることを示し、「測定された通信品質が所定範囲の通信品質以下である」とは、近隣セルに位置する移動局装置からの干渉成分が大きく、受信データの通信品質が必要とされる通信品質より劣悪であることを示す。このような判定の結果、受信データの通信品質が所定範囲内である場合（すなわち、ＳＴ１７００における判定の結果がＮｏである場合）は、引き続き無線リソース制御部１３０によってスケジューリングが行われ、データ伝送が行われる。
【００３７】
また、測定された通信品質が所定の通信品質以上である場合、すなわち受信データの通信品質が過剰品質である場合は、そのデータを送信した移動局装置にデータ送信を許可するスロットが先頭スロットであるか否かが判定される（ＳＴ１５００）。この判定の結果、当該スロットが先頭スロットである場合は、引き続き無線リソース制御部１３０によってスケジューリングが行われ、データ伝送が行われる。一方、先頭スロットでない場合は、データを送信した移動局装置にデータ送信を許可するスロットが仮想フレームの先頭スロット側へ１スロット分変更され、テーブル１４２における各スロットとデータ送信を許可する移動局装置との対応が更新される（ＳＴ１６００）。これにより、近隣セルからの干渉成分の影響を大きく受けていない移動局装置からのデータ送信は、より先頭スロット側のスロットにおいて許可されることになる。
【００３８】
また、ＳＴ１７００における判定の結果、測定された通信品質が所定の通信品質以下である場合、すなわち受信データの通信品質が劣悪である場合は、そのデータを送信した移動局装置にデータ送信を許可するスロットが最終スロットであるか否かが判定される（ＳＴ１８００）。この判定の結果、当該スロットが最終スロットである場合は、引き続き無線リソース制御部１３０によってスケジューリングが行われ、データ伝送が行われる。一方、最終スロットでない場合は、データを送信した移動局装置にデータ送信を許可するスロットが仮想フレームの最終スロット側へ１スロット分変更され、テーブル１４２における各スロットとデータ送信を許可する移動局装置との対応が更新される（ＳＴ１９００）。これにより、近隣セルからの干渉成分の影響を大きく受けている移動局装置からのデータ送信は、より最終スロット側のスロットにおいて許可されることになる。また、このような制御は、近隣セル（図１に示す基地局装置２００および基地局装置３００のセル）においても行われており、これにより、近隣セル間で、互いに干渉成分となるデータを送信する移動局装置からのデータ送信は、仮想フレーム内の異なるスロットにおいて許可されることになり、各セルにおける上り回線のデータが、近隣セルの移動局装置のデータ送信によって受ける干渉を低減することができる。
【００３９】
次に、図４を用いて本実施の形態に係るスケジューリング方法の具体例について説明する。
【００４０】
図４は、本実施の形態に係る仮想フレームの構成の一例を示す図である。ここでは、制御局装置によって仮想フレーム長が６スロット（スロット０〜５）であると通知された場合の仮想フレーム構成を示している。また、基地局装置１００は、移動局装置Ａおよび移動局装置Ｂと通信を行い、基地局装置２００は、移動局装置Ｃおよび移動局装置Ｄと通信を行い、基地局装置３００は、移動局装置Ｅおよび移動局装置Ｆと通信を行っているものとする。
【００４１】
図４に示すように、移動局装置Ａおよび移動局装置Ｅにはスロット０がデータ送信を許可されたスロットとして割り当てられており、以下同様に、移動局装置Ｃにはスロット１が、移動局装置Ｂにはスロット２が、移動局装置Ｄおよび移動局装置Ｆにはスロット３がそれぞれデータ送信を許可されたスロットとして割り当てられている。
【００４２】
ここで、例えば移動局装置Ｂから基地局装置１００へスロット２において送信されたデータの通信品質が過剰品質であった場合、移動局装置Ｂにデータ送信を許可するスロットが先頭スロット（スロット０）側に１スロット分だけ変更され、テーブル１４２において、スロット２に対応する移動局装置であった移動局装置Ｂがスロット１に対応する移動局装置として変更される。したがって、無線リソース制御部１３０がスケジューリングを行う際、スロット１でデータ送信を許可する移動局装置として、移動局装置Ｂがテーブル１４２から読み出されることになる。
【００４３】
また、例えば移動局装置Ｄから基地局装置２００へスロット３において送信されるデータの通信品質が、移動局装置Ｆから基地局装置３００へスロット３において送信されるデータの干渉によって劣悪であった場合、移動局装置Ｄにデータ送信を許可するスロットが最終スロット（スロット５）側に１スロット分だけ変更され、テーブル１４２において、スロット３に対応する移動局装置であった移動局装置Ｄがスロット４に対応する移動局装置として変更される。したがって、基地局装置２００における無線リソース制御部１３０がスケジューリングを行う際、スロット４でデータ送信を許可する移動局装置として、移動局装置Ｄがテーブル１４２から読み出されることになる。
【００４４】
このように、本実施の形態によれば、基地局装置は、通信相手の各移動局装置から送信されたデータの通信品質を測定し、測定された通信品質が所定の範囲内であるか否かを判定し、測定された通信品質が所定の範囲以上である場合は、通信品質が過剰であるとして、当該データを送信した移動局装置にデータ送信を許可するスロットを仮想フレーム内で前にずらし、測定された通信品質が所定の範囲以下である場合は、近隣セルからの干渉成分が大きいものとして、当該データを送信した移動局装置にデータ送信を許可するスロットを仮想フレーム内で後にずらすため、伝送効率を極度に低下させることがないとともに近隣セルに対して干渉成分となるデータ送信のタイミングが同時ではなくなり、干渉成分による信号品質の劣化を低減し、良好な通信を行うことができる。
【００４５】
（実施の形態２）
図５は、本発明の実施の形態２に係るセル構成の一例を示す図である。同図において、基地局装置４００、基地局装置５００、基地局装置６００、および基地局装置７００のセルはそれぞれ互いに近接している。各セルは、同心円状に３つのエリア（エリア１〜３）に分割されている。なお、本実施の形態においてはセルを３つの同心円に分割するものとして説明するが、本発明はこれに限定されない。また、基地局装置４００、基地局装置５００、基地局装置６００、および基地局装置７００は、図示しない制御局装置によって制御されている。この制御局装置は、各移動局装置宛てのデータをそれぞれの通信相手となっている基地局装置へ送出し、各セルのエリア分割数と同数のスロットから構成される伝送単位（本実施の形態においては、これを「仮想フレーム」という）の長さ（すなわち、スロット数）を基地局装置へ通知する。また、これにより、基地局装置４００、基地局装置５００、基地局装置６００、および基地局装置７００は、基地局装置間同期がとられる。
【００４６】
図６は、実施の形態２に係る基地局装置４００の構成を示すブロック図である。同図に示す基地局装置４００は、無線送受信部４１０、再送制御部４２０、無線リソース制御部４３０、および距離測定部４４２と許可スロット判定部４４４とテーブル４４６とからなる送信許可スロット設定部４４０を有している。なお、基地局装置５００、基地局装置６００、および基地局装置７００も同様の構成を有するものとする。
【００４７】
無線送受信部４１０は、アンテナを介してデータの送受信を行い、所定の無線処理（符号化、復号化、変復調など）を行う。再送制御部４２０は、制御局装置から送出された各移動局装置宛てのデータを一時的に格納し、再送制御を行う。無線リソース制御部４３０は、無線送受信部４１０および再送制御部４２０を制御するとともに、スケジューリングを行う。具体的には、無線リソース制御部４３０は、スケジューリングを行う際に、各スロットでスケジューリングの対象となる（すなわち、データ送信を許可する）移動局装置をテーブル４４６から読み出し、所定のアルゴリズムに従ってスケジューリングを行う。さらに、無線リソース制御部４３０は、それぞれのスロットにおいて実際にデータを送信する移動局装置に対して、再送制御部４２０および無線送受信部４１０を介して送信許可信号を送信する。
【００４８】
送信許可スロット設定部４４０は、距離測定部４４２、許可スロット判定部４４４、およびテーブル４４６から構成されており、制御局装置から通知された仮想フレーム長と基地局装置４００から各移動局装置までの距離とに基づいて、仮想フレーム内の各スロットごとに、どの移動局装置のデータ送信を許可するかを設定する。距離測定部４４２は、基地局装置４００から各移動局装置までの距離を測定する。具体的には、距離測定部４４２は、例えばＧＰＳ（Ｇｌｏｂａｌ　Ｐｏｓｉｔｉｏｎｉｎｇ　Ｓｙｓｔｅｍ：全地球測位システム）による移動局装置の位置情報やラウンドトリップタイム（Ｒｏｕｎｄ　Ｔｒｉｐ　Ｔｉｍｅ）などの情報を用いて各移動局装置までの距離を推定する。許可スロット判定部４４４は、制御局装置から通知された仮想フレーム長のスロット数に応じて自セルを複数エリアに分割し、各移動局装置が位置するエリアに対応するスロットを判定する。本実施の形態においては、仮想フレーム長を３スロット（スロット０〜２）として説明するため、許可スロット判定部４４４は、自セルを３つのエリアに分割し、基地局装置４００から各移動局装置までの距離に基づいて、それぞれの移動局装置がどのエリアに属するかを判定し、属するエリアに対応するスロットを判定する。
【００４９】
また、許可スロット判定部４４４は、仮想フレーム内の各スロットについて、自セルにおいてデータ送信が許可されているか否かを示すスロット情報を保持している。ここで、「自セルにおいてデータ送信が許可されているか否かを示すスロット情報」とは、例えばスロット０に関してはすべての仮想フレームにおいてデータ送信が許可されており、スロット１に関しては２つに１つの仮想フレームにおいてデータ送信が許可されており、スロット２に関しては３つに１つの仮想フレームにおいてデータ送信が許可されているなどという情報である。換言すれば、仮想フレームごとの各スロットでデータの送信が許可される周期に関する情報である。このようなスロット情報によって、仮想フレーム内の各スロットについて、データ送信の周期を近隣セルとずらすことができ、自セルにおいてデータ送信が許可されているスロットのタイミングでは、近隣セルにおいてデータ送信が許可されていない状況を設けることができる。そして、許可スロット判定部４４４は、このスロット情報によって自セルにおいてデータ送信が許可されており、かつ、各移動局装置が属するエリアに対応するスロットを当該移動局装置にデータ送信が許可されるスロットとする。テーブル４４６は、仮想フレーム内の各スロットごとに、データ送信を許可する移動局装置を保持している。
【００５０】
次いで、上記のように構成された基地局装置４００における送信許可スロットの設定動作について説明する。
【００５１】
まず、基地局装置４００から各移動局装置までの距離が、例えばＧＰＳによる移動局装置の位置情報やラウンドトリップタイムなどの情報が用いられることにより、距離測定部４４２によって測定される。測定された各移動局装置までの距離は、許可スロット判定部４４４へ通知される。一方、許可スロット判定部４４４へは、制御局装置から仮想フレーム長が通知されている。
【００５２】
そして、許可スロット判定部４４４によって、仮想フレーム長のスロット数（本実施の形態においてはスロット０〜２の３スロット）に対応して自セルが３つのエリアに分割される。このエリアの分割は、基地局装置４００からの距離に応じてなされ、例えば図５に示したように、基地局装置４００に近い方から順に、エリア１、エリア２、およびエリア３として分割される。これらのエリア１、エリア２、およびエリア３は、それぞれ仮想フレーム内のスロット０〜２に対応している。具体的には、例えば、エリア１はスロット０に対応し、エリア２はスロット１に対応し、エリア３はスロット２に対応している。
【００５３】
そして、許可スロット判定部４４４によって、距離測定部４４２から通知された各移動局装置までの距離に従い、それぞれの移動局装置がどのエリアに属するかが判定される。また、許可スロット判定部４４４は、仮想フレームごとのスロットについて、自セルにおいてデータ送信が許可される周期の情報であるスロット情報を保持している。本実施の形態においては、スロット情報は、スロット０に関してはすべての仮想フレームにおいてデータ送信が許可されており、スロット１に関しては２つに１つの仮想フレームにおいてデータ創始が許可されており、スロット２に関しては３つに１つの仮想フレームにおいてデータ送信が許可されているというものである。そして、許可スロット判定部４４４によって、このスロット情報によってデータ送信が許可されているスロットであって、かつ、それぞれの移動局装置が属するエリアに対応するスロットが判定され、判定結果がテーブル４４６へ通知される。この通知に基づいて、テーブル４４６における各スロットとデータ送信を許可する移動局装置との対応が更新される。
【００５４】
これにより、基地局装置４００に近いエリア１に位置する移動局装置はすべての仮想フレームのスロット０においてデータ送信が許可されることになり、基地局装置４００からの距離が中程度であるエリア２に位置する移動局装置は２つに１つの仮想フレームのスロット１においてデータ送信が許可されることになり、基地局装置４００から遠くセルエッジ付近のエリア３に位置する移動局装置は３つに１つの仮想フレームのスロット２においてデータ送信が許可されることになる。
【００５５】
図７は、各基地局装置のセルにおいてそれぞれのエリアに位置する移動局装置のデータ送信が許可されるスロットを示す図である。同図に示すように、最初の仮想フレーム（紙面向かって左の仮想フレーム）では、基地局装置４００のセルにおいて、エリア１（図では「Ａ１」）に位置する移動局装置のデータ送信がスロット０で許可され、エリア２（図では「Ａ２」）に位置する移動局装置のデータ送信がスロット１で許可され、エリア３（図では「Ａ３」）に位置する移動局装置のデータ送信がスロット２で許可されている。また、同様に、基地局装置５００のセルにおいて、エリア１（Ａ１）に位置する移動局装置のデータ送信がスロット０で許可されており、基地局装置６００のセルにおいて、エリア１（Ａ１）およびエリア２（Ａ２）に位置する移動局装置のデータ送信がそれぞれスロット０およびスロット１で許可されている。
【００５６】
これにより、例えば基地局装置４００のセルでエリア２に位置する移動局装置がデータ送信を許可されている場合は、隣接する基地局装置５００のセルのエリア２に位置する移動局装置はデータ送信が許可されておらず、基地局装置５００のセルにおいてはデータ送信が行われないため、干渉の影響を受けることがない。同様に、基地局装置４００のセルでセルエッジ付近のエリア３に位置する移動局装置は、近隣の基地局装置５００および基地局装置６００のセルに対する干渉としての影響が大きいと考えられるが、このエリア３に位置する移動局装置にデータ送信が許可されている場合は、基地局装置５００および基地局装置６００のセルにおいてはデータ送信が許可されておらず、干渉の影響を受けることがない。
【００５７】
このように、本実施の形態によれば、近隣セルに対する干渉の影響が小さい、基地局装置から近い位置にある移動局装置については、各セルの同一スロットでデータ送信を許可し、近隣セルに対する干渉の影響が大きい、セルエッジ付近にある移動局装置については、近隣セルの同一スロットでのデータ送信を許可しないため、伝送効率を極度に低下させることがないとともに近隣セルに対して干渉成分となるデータ送信のタイミングが同時ではなくなり、干渉成分による信号品質の劣化を低減し、良好な通信を行うことができる。
【００５８】
なお、本実施の形態においては、セルを３つのエリアに分割する構成としたが、これに限定されず、エリア数はいくつであっても良い。また、その場合は、仮想フレーム内のスロット数がエリア数に応じて変更される。
【００５９】
また、本実施の形態においては、図７に示すように、エリア１（Ａ１）に位置する移動局装置のデータ送信がスロット０のみで許可される構成としたが、エリア１に位置する移動局装置は近隣セルへ与える干渉が小さいため、スロット１およびスロット２でデータ送信が許可される移動局装置がない場合は、エリア１に位置する移動局装置のデータ送信をスロット１およびスロット２で許可するようにしても良い。同様に、エリア２に位置する移動局装置のデータ送信をスロット１のみでなくスロット２で許可するようにしても良い。
【００６０】
【発明の効果】
以上説明したように、本発明によれば、干渉成分による信号品質の劣化を低減し、良好な通信を行うことができる。
【図面の簡単な説明】
【図１】本発明の実施の形態１に係るセル構成の一例を示す図
【図２】実施の形態１に係る基地局装置の構成を示すブロック図
【図３】実施の形態１に係る送信許可スロットの設定動作を示すフロー図
【図４】実施の形態１に係る仮想フレームの構成の一例を示す図
【図５】本発明の実施の形態２に係るセル構成の一例を示す図
【図６】実施の形態２に係る基地局装置の構成を示すブロック図
【図７】実施の形態２に係る仮想フレームの構成の一例を示す図
【図８】従来のセル構成における問題点を説明するための図
【符号の説明】
１１０、４１０　無線送受信部
１２０、４２０　再送制御部
１３０、４３０　無線リソース制御部
１４０、４４０　送信許可スロット設定部
１４２、４４６　テーブル
１４４　通信品質比較部
４４２　距離測定部
４４４　許可スロット判定部
【図１】
2004032202.tif 000003
【図２】
2004032202.tif 000004
【図３】
2004032202.tif 000005
【図４】
2004032202.tif 000006
【図５】
2004032202.tif 000007
【図６】
2004032202.tif 000008
【図７】
2004032202.tif 000009
【図８】
2004032202.tif 000010